(57)【要約】【課題】  塵埃等がテープ排出口から装置内に進入するのを極力抑制することができる。【解決手段】  印刷テープＴを装置外に排出するテープ排出口２３と、印刷テープＴを切断する切断機構２４と、切断機構２４を作動させるカットボタン１４と、カットボタン１４の押込みに連動してテープ排出口２３を閉塞し、カットボタン１４の戻りに連動してテープ排出口２３を開放する遮蔽部材５２、５３と、カットボタン１４が押し込まれたとき、カットボタン１４を押込み位置Ａ２でロックするロック機構５６と、を備えた。【選択図】  図５
2017154418.tif 000002
【特許請求の範囲】
【請求項１】
印刷テープを装置外に排出するテープ排出口と、
前記印刷テープを切断する切断機構と、
前記切断機構を作動させるカットボタンと、
前記カットボタンの押込みに連動して前記テープ排出口を閉塞し、前記カットボタンの戻りに連動して前記テープ排出口を開放する遮蔽部材と、
前記カットボタンが押し込まれたとき、前記カットボタンを押込み位置でロックするロック機構と、を備えたことを特徴とするテープ印刷装置。
【請求項２】
前記遮蔽部材は、前記切断機構の切断刃であることを特徴とする請求項１に記載のテープ印刷装置。
【請求項３】
前記遮蔽部材は、前記切断機構による切断に先行して、前記印刷テープを押えるテープ押え部材であることを特徴とする請求項１に記載のテープ印刷装置。
【請求項４】
当該テープ印刷装置の外殻を成す装置ケースを、更に備え、
前記押込み位置は、前記カットボタンが前記装置ケースから非突出となる位置であることを特徴とする請求項１ないし３のいずれか一項に記載のテープ印刷装置。
【請求項５】
前記印刷テープを収容したテープカートリッジを装着するカートリッジ装着部と、
前記カートリッジ装着部を開閉する開閉蓋と、
前記開閉蓋の開放に伴って、前記ロック機構による前記カットボタンのロックを解除させるロック解除機構と、を更に備えたことを特徴とする請求項１ないし４のいずれか一項に記載のテープ印刷装置。
【請求項６】
前記カットボタンを、当該テープ印刷装置の電源をＯＮ／ＯＦＦする電源ボタンとして兼用し、前記カットボタンがロックされるとき、前記電源をＯＦＦにすることを特徴とする請求項１ないし５のいずれか一項に記載のテープ印刷装置。
【請求項７】
前記ロック機構は、前記切断機構を作動させる第１の押込み位置から更に押し込まれた第２の押込み位置に前記カットボタンが押し込まれたときに、前記カットボタンをロックすることを特徴とする請求項１ないし６のいずれか一項に記載のテープ印刷装置。
【発明の詳細な説明】
【技術分野】
【０００１】
本発明は、印刷テープを切断する切断機構を備えたテープ印刷装置に関するものである。
【背景技術】
【０００２】
従来、この種のテープ印刷装置（テープ印字装置）として、印刷テープ（印字テープ）を装置外に排出するテープ排出口と、テープ排出口に配設され、固定刃および可動刃から成る鋏状の切断機構と、可動刃後部の作動レバーに固着されたカットボタン（押し操作ボタン）と、固定刃に対し可動刃が開くように付勢する捩じりばね等の付勢バネと、を備えたものが知られている（特許文献１参照）。このテープ印刷装置では、ユーザーが、カットボタンを付勢バネの弾性力に抗して押すと、固定刃の刃部に可動刃の刃部が咬み合わさるように接近して、印刷テープを切断する。一方、カットボタンへの押し力を解除すると、付勢バネにより、固定刃に対し可動刃が所定角度で開いた状態になる。
【先行技術文献】
【特許文献】
【０００３】
【特許文献１】特開２００２−１３７４９６号公報
【発明の概要】
【発明が解決しようとする課題】
【０００４】
しかしながら、上記従来のテープ印刷装置では、切断機構による切断時を除き、テープ排出口が開放された状態となる。すなわち、印刷テープを切断した後、常に、テープ排出口が開放された状態となるため、塵埃等がテープ排出口から装置内に進入してしまうという問題があった。例えば、装置内に侵入した塵埃等がサーマル印刷ヘッドに付着してしまうと、サーマル印刷ヘッドによる印刷不備（例えば印字カスレ等）が生じる虞がある。
【０００５】
本発明は、塵埃等がテープ排出口から装置内に進入するのを極力抑制することができるテープ印刷装置を提供することを課題としている。
【課題を解決するための手段】
【０００６】
本発明のテープ印刷装置は、印刷テープを装置外に排出するテープ排出口と、印刷テープを切断する切断機構と、切断機構を作動させるカットボタンと、カットボタンの押込みに連動してテープ排出口を閉塞し、カットボタンの戻りに連動してテープ排出口を開放する遮蔽部材と、カットボタンが押し込まれたとき、カットボタンを押込み位置でロックするロック機構と、を備えたことを特徴とする。
【０００７】
上記のテープ印刷装置において、遮蔽部材は、切断機構の切断刃であることが好ましい。
【０００８】
上記のテープ印刷装置において、遮蔽部材は、切断機構による切断に先行して、印刷テープを押えるテープ押え部材であることが好ましい。
【０００９】
これらの構成によれば、ユーザーがカットボタンを押して印刷テープの切断を行ったとき、ロック機構によって、カットボタンが押込み位置でロックされる。そのため、カットボタンを押して切断を行った後も、カットボタンが押込み位置に位置したままになり、これに連動する遮蔽部材も、テープ排出口を閉塞した状態のままとなる。このように、印刷テープを切断した後も、テープ排出口が閉塞された状態が維持されるため、塵埃等がテープ排出口から装置内に進入するのを極力抑制することができる。なお、ロック機構は、押込み位置でロックされたカットボタンが再度押されたときに、カットボタンのロックが解除される構成でも良いし、印刷開始時等の所定の状態になったときに、カットボタンのロックが解除される構成でも良い。
【００１０】
これらの場合、当該テープ印刷装置の外殻を成す装置ケースを、更に備え、押込み位置は、カットボタンが装置ケースから非突出となる位置であることが好ましい。
【００１１】
この構成によれば、印刷テープを切断した後、カットボタンが装置ケースから非突出となる状態が維持される。すなわち、装置ケースから突出した状態のカットボタンが押し込まれて装置ケースから突出しなくなった状態が、デフォルトの状態となる。そのため、この状態でテープ印刷装置を収納することができ、テープ印刷装置の収納性を高めることができる。
【００１２】
一方、印刷テープを収容したテープカートリッジを装着するカートリッジ装着部と、カートリッジ装着部を開閉する開閉蓋と、開閉蓋の開放に伴って、ロック機構によるカットボタンのロックを解除させるロック解除機構と、を更に備えたことが好ましい。
【００１３】
この構成によれば、開閉蓋の開放に伴って、カットボタンのロックが解除される。そのため、カットボタンが元の位置に戻り、これに連動して遮蔽部材がテープ排出口を開放する。このように、開閉蓋を開放してテープカートリッジを装着するときに、遮蔽部材がテープ排出口を開放した状態になるため、テープカートリッジの装着が、遮蔽部材によって妨げられてしまうのを避けることができる。すなわち、テープカートリッジを装着する際に、テープカートリッジから引き出された印刷テープをテープ排出口に通す場合にも、これが遮蔽部材によって妨げられることがない。
【００１４】
一方、カットボタンを、当該テープ印刷装置の電源をＯＮ／ＯＦＦする電源ボタンとして兼用し、カットボタンがロックされるとき、電源をＯＦＦにすることが好ましい。
【００１５】
この構成によれば、テープ印刷装置の電源をＯＦＦにするときには、カットボタンが押込み位置でロックされた状態になる。そのため、電源ＯＦＦ時に、テープ排出口を閉塞し忘れるという事態を避けることができる。よって、電源ＯＦＦ時に、塵埃等が装置内に進入してしまうのを抑制することができる。
【００１６】
また、ロック機構は、切断機構を作動させる第１の押込み位置から更に押し込まれた第２の押込み位置にカットボタンが押し込まれたときに、カットボタンをロックすることが好ましい。
【００１７】
この構成によれば、カットボタンを押し込む深さ（カットボタンの押込み方向の位置）を調整することで、印刷テープを切断した後に、カットボタンをロックするか、カットボタンを元の位置に戻すか、をユーザーが選択することができる。すなわち、印刷テープを切断した後に、遮蔽部材によってテープ排出口を閉塞した状態を維持するか、テープ排出口を開放した状態にするか、をユーザーが容易に選択することができる。
【図面の簡単な説明】
【００１８】
【図１】本発明の一実施形態に係るテープ印刷装置を示した平面図である。
【図２】テープ印刷装置を示した裏面図である。
【図３】開蓋状態のテープ印刷装置を示した裏面図である。
【図４】切断機構廻りを示した裏面図である。
【図５】カットボタンが押されたときの切断機構廻りを示した裏面図である。
【図６】ロック機構を示した図である。
【図７】開閉蓋を閉塞したときのロック機構を示した図である。
【図８】開閉蓋を開放したときのロック機構を示した図である。
【図９】カットボタンが押されたときのロック機構を示した第１下面図である。
【図１０】カットボタンが押されたときのロック機構を示した第２下面図である。
【図１１】カットボタンが押されたときのロック機構を示した第３下面図である。
【発明を実施するための形態】
【００１９】
以下、添付の図面を参照して、本発明の一実施形態に係るテープ印刷装置について説明する。このテープ印刷装置は、印刷テープに対し印刷を行った後、手動の切断機構により印刷テープを切断して、ラベルを作成するものである。特に、本テープ印刷装置は、当該切断機構によって、テープ排出口から塵埃等が入り込むのを防止する構造を有するものである。
【００２０】
図１に示すように、テープ印刷装置１は、装置ケース１１（筐体）により外殻が形成され、装置ケース１１の表面下部には、各種キーを備えたキーボード１２が配設される。一方、装置ケース１１の表面上部には、キーボード１２からの入力結果等を表示する長方形のディスプレイ１３が配設される。また、装置ケース１１の上部右側面には、後述の切断機構２４を作動させるためのカットボタン１４が配設される。
【００２１】
一方、図２および図３に示すように、装置ケース１１の裏面には、開閉蓋２１が広く配設される。そして、開閉蓋２１を開放すると、その内部には、テープカートリッジＴＣを着脱自在に装着するカートリッジ装着部２２が窪入形成される。
【００２２】
また、カートリッジ装着部２２と装置ケース１１上端部との間には、印刷テープＴを装置外に排出するためのテープ排出口２３が配設される。そして、装置ケース１１の内部には、テープ排出口２３に臨むように、切断機構２４が配設される。切断機構２４は、カットボタン１４の押込みによって作動し、テープ排出口２３上の印刷テープＴを切断するものである。
【００２３】
図３に示すように、開閉蓋２１は、ヒンジ部２１ａを介して装置ケース１１に回動自在に取り付けられ、カートリッジ装着部２２の開放部分を開閉自在に取り付けられる。テープカートリッジＴＣは、開閉蓋２１を開放した状態で、カートリッジ装着部２２に装着され、開閉蓋２１を開放した状態で、カートリッジ装着部２２から取り外される。
【００２４】
また、開閉蓋２１の内側上部には、長板状の作動突起２１ｂが突設される。開閉蓋２１を閉塞すると、装置ケース１１に形成された突起挿入孔１１ａを介して、作動突起２１ｂが、装置ケース１１内の切断機構２４に到達する構成を有する。
【００２５】
一方、カートリッジ装着部２２には、サーマル印刷ヘッド３１と、後述のプラテンローラー４４に嵌合するプラテン駆動軸３２と、後述のリボン巻取りリール４３に嵌合する巻取り駆動軸３３と、が配設される。
【００２６】
これに対し、テープカートリッジＴＣは、印刷テープＴを巻回したテープリール４１と、インクリボンＲを巻回したリボン繰出しリール４２と、インクリボンＲを巻き取るリボン巻取りリール４３と、サーマル印刷ヘッド３１に対峙するプラテンローラー４４と、これらを収容するカートリッジケース４５と、を備える。また、カートリッジケース４５には、サーマル印刷ヘッド３１が入り込むヘッド開口４６が貫通形成される。
【００２７】
テープカートリッジＴＣがカートリッジ装着部２２に装着されると、サーマル印刷ヘッド３１が、ヘッド開口４６に入り込み、プラテン駆動軸３２が、プラテンローラー４４の中心穴に嵌合され、巻取り駆動軸３３が、リボン巻取りリール４３の中心穴に嵌合される。この状態では、印刷テープＴは、テープリール４１から繰り出され、サーマル印刷ヘッド３１とプラテンローラー４４との対峙位置を通ってテープ排出口２３に繰り出され、テープ排出口２３から装置外に繰り出される。一方、インクリボンＲは、リボン繰出しリール４２から繰り出され、サーマル印刷ヘッド３１とプラテンローラー４４との対峙位置を通った後、ヘッド開口４６の周壁を周回して、リボン巻取りリール４３に巻き取られる。
【００２８】
この状態において、印刷動作が指令されると、テープ印刷装置１は、プラテン駆動軸３２および巻取り駆動軸３３を駆動して、プラテンローラー４４およびリボン巻取りリール４３を同期回転させることで、テープカートリッジＴＣから印刷テープＴおよびインクリボンＲを引き出しつつ、印刷テープＴおよびインクリボンＲを送る。そして、この送りと同期してサーマル印刷ヘッド３１を駆動することで、印刷テープＴに対しインクリボンＲ上のインクを転写して、所望の印刷を行う。その後、ユーザーがカットボタン１４を押し込んで切断機構２４を作動させることで、印刷テープＴの印刷済み部分が切断され、ラベルが作成される。
【００２９】
次に図４および図５を参照して、切断機構２４の詳細について説明する。図４および図５に示すように、切断機構２４は、カットボタン１４が取り付けられたカッターホルダー５１と、カッターホルダー５１に固定された切断刃５２と、カッターホルダー５１に対し左右方向に進退動自在に支持されたテープ押え部材５３と、テープ押え部材５３を左方向に付勢する付勢バネ５４と、を備える。また、切断機構２４は、テープ押え部材５３と対峙する押え受け部材５５と、カッターホルダー５１を前進位置でロックするロック機構５６と、を備える。詳細は後述するが、ロック機構５６は、カッターホルダー５１を前進位置でロックすることで、カッターホルダー５１を介して、カットボタン１４を押込み位置Ａ２でロックするものである。
【００３０】
カッターホルダー５１は、装置ケース１１に対し左右方向に進退自在に支持されると共に、図外の付勢手段によって、右方向に付勢される。その結果、ユーザーが、当該付勢手段の付勢力に抗してカットボタン１４を左方向に押し込むと、カッターホルダー５１は、このカットボタン１４の押込みに伴って、左方向に前進する（図５参照）。一方、カットボタン１４の押込みを止めてカットボタン１４への力を解除すると、ロック機構５６によってカッターホルダー５１が前進位置でロックされていなければ、当該付勢手段の付勢力によって、カッターホルダー５１が右方向に後退し、カットボタン１４が元の位置に戻る構成となる。
なお、以下、カットボタン１４を押し込む前の位置（上記元の位置）を、戻り位置Ａ１と呼称し、カットボタン１４を押し込んだ先の位置を、押込み位置Ａ２と呼称する。なお、図４および図５に示すように、戻り位置Ａ１は、カットボタン１４が装置ケース１１から突出する位置であり、押込み位置Ａ２は、カットボタン１４が装置ケース１１に没入し装置ケース１１から非吐出となる位置である。
【００３１】
また、カッターホルダー５１は、ロック機構５６と係合する係合ピン５１ａが形成される。詳細は後述するが、カッターホルダー５１は、カットボタン１４が押込み位置Ａ２まで押し込まれたときに、ロック機構５６が係合ピン５１ａと係合し、その位置でカッターホルダー５１がロックされる。
【００３２】
切断刃５２は、上記したように、カッターホルダー５１に固定される。そして、切断刃５２は、カッターホルダー５１の前進に伴って、印刷テープＴ側に移動し、印刷テープＴを切断する。すなわち、カットボタン１４の押込みに伴い、この押込み力によって、印刷テープＴを切断する構成を有する。なお、少なくとも、カットボタン１４を押込み位置Ａ２まで押し込むと、印刷テープＴの切断が完了する。
【００３３】
また、切断刃５２は、印刷テープＴの切断時に、テープ排出口２３を閉塞するように構成される。すなわち、切断刃５２は、カットボタン１４の押込みに連動してテープ排出口２３を閉塞し、カットボタン１４の戻りに連動してテープ排出口２３を開放する「遮蔽部材」として機能する。より言えば、切断刃５２は、カットボタン１４が押込み位置Ａ２に位置するとき、テープ排出口２３を閉塞し、カットボタン１４が戻り位置Ａ１に位置するとき、テープ排出口２３を開放する。
【００３４】
テープ押え部材５３は、上記したように、カッターホルダー５１に対し左右方向に進退動自在に支持される共に、付勢バネ５４によって左方向に付勢される。そして、テープ押え部材５３は、カッターホルダー５１の前進に伴って、印刷テープＴ側に移動し、切断刃５２による印刷テープＴの切断に先行して、印刷テープＴを押える。すなわち、カットボタン１４の押込みに伴い、印刷テープＴの切断の前に、印刷テープＴを押える構成を有する。このとき、テープ押え部材５３は、付勢バネ５４により押え受け部材５５側に押し付けられ、押え受け部材５５との間で挟圧する形で、印刷テープＴを保持する。
また、テープ押え部材５３は、印刷テープＴの送り経路において、切断刃５２の下流側に配設される。よって、印刷テープＴの送り経路において、切断刃５２の下流側で印刷テープＴを押さえ、保持する構成となる。ゆえに、テープ押え部材５３は、印刷テープＴを切断して得られたテープ片（ラベル）を保持する役割も担う。
【００３５】
また、テープ押え部材５３は、押え受け部材５５側に押し付けられたとき、テープ排出口２３を閉塞するように構成される。すなわち、テープ押え部材５３は、切断刃５２と同様、カットボタン１４の押込みに連動してテープ排出口２３を閉塞し、カットボタン１４の戻りに連動してテープ排出口２３を開放する「遮蔽部材」として機能する。より言えば、切断刃５２と同様、テープ押え部材５３は、カットボタン１４が押込み位置Ａ２に位置するとき、テープ排出口２３を閉塞し、カットボタン１４が戻り位置Ａ１に位置するとき、テープ排出口２３を開放する。
【００３６】
次に図６ないし図１１を参照して、ロック機構５６について説明する。図６に示すように、ロック機構５６は、カッターホルダー５１の係合ピン５１ａに係合するロック部材６１と、ロック部材６１を回転不能且つ軸方向（前後方向）に移動自在に支持する支持軸６２と、ロック部材６１を後方（支持軸６２の先端側）に付勢するロック付勢バネ６３と、を備える。
【００３７】
ロック部材６１は、上記したように回転不能且つ支持軸６２の軸方向に移動自在に支持されると共に、側面視で直角三角形形状に形成されたピン係合部７１と、板状に形成された突起受け部７２と、を有する。ロック部材６１は、支持軸６２の支持によって、ピン係合部７１が係合ピン５１ａと対峙するピン対峙位置Ｂ１と、ピン対峙位置Ｂ１から後方（支持軸６２の先端側）に退避した第１退避位置Ｂ２と、ピン対峙位置Ｂ１から前方（支持軸６２の基端側）に退避した第２退避位置Ｂ３との間で移動自在に構成される。
【００３８】
突起受け部７２は、開閉蓋２１を閉塞したときの作動突起２１ｂを受ける突起受け面７２ａを有する。
図７に示すように、開閉蓋２１を閉塞すると、開閉蓋２１の作動突起２１ｂが突起受け面７２ａに接触し、突起受け部７２を前方（支持軸６２の基端側）に押圧する。この押圧力を受けて、ロック部材６１がロック付勢バネ６３の付勢力に抗して前方に移動し、第１退避位置Ｂ２からピン対峙位置Ｂ１に移動する。一方、図８に示すように、開閉蓋２１を開放すると、作動突起２１ｂからの押圧力が解除されるため、ロック付勢バネ６３の付勢力によって、ロック部材６１がピン対峙位置Ｂ１から第１退避位置Ｂ２に戻る。このように、突起受け部７２によって、開閉蓋２１を閉塞したときの作動突起２１ｂを受けることで、ロック部材６１が、開閉蓋２１の開閉に伴い、ピン対峙位置Ｂ１と第１退避位置Ｂ２との間で移動する。なお、開閉蓋２１の開放に伴ってロック機構５６によるカットボタン１４のロックを解除させる「ロック解除機構」は、作動突起２１ｂ、ロック付勢バネ６３および突起受け部７２により構成される。
【００３９】
ピン係合部７１は、係合ピン５１ａからの力を受けてロック部材６１を第２退避位置Ｂ３に退避させるための誘い斜面７１ａと、係合ピン５１ａの移動を規制するための規制面７１ｂと、を有する。
図９ないし図１１に示すように、ロック部材６１がピン対峙位置Ｂ１に位置した状態で、カッターホルダー５１が前進していくと、カッターホルダー５１の係合ピン５１ａが誘い斜面７１ａに接触し、ピン係合部７１を押圧する（図９参照）。この押圧力によって、ピン係合部７１が前方（支持軸６２の基端側）に移動し、ロック部材６１が、ピン対峙位置Ｂ１から第２退避位置Ｂ３に移動する（図１０参照）。そして、カッターホルダー５１の前進が進み、係合ピン５１ａが誘い斜面７１ａを超えると、係合ピン５１ａからの力が解除され、ロック付勢バネ６３の付勢力によって、ロック部材６１が第２退避位置Ｂ３からピン対峙位置Ｂ１に戻る。その結果、係合ピン５１ａが規制面７１ｂに対面して接触し、係合ピン５１ａの右方向への移動を規制する（図１１参照）。これによって、上記付勢手段による右方向への付勢に抗して、カッターホルダー５１の位置がロックされた状態となる。すなわち、カッターホルダー５１が前進位置でロックされ、カッターホルダー５１を介して、カットボタン１４が押込み位置Ａ２でロックされる。本実施形態では、切断刃５２による切断が完了されたところで、カッターホルダー５１およびカットボタン１４がロックされる構成となる。
【００４０】
本テープ印刷装置１では、開閉蓋２１を閉塞すると、作動突起２１ｂからの力が突起受け部７２に作用し、ロック部材６１がピン対峙位置Ｂ１に位置した状態になる。この状態で、カットボタン１４が押し込まれると、カッターホルダー５１が前進していき、これに伴って、テープ押え部材５３により印刷テープＴを押え、切断刃５２により印刷テープＴを切断する。そして、切断が完了したところで、ロック機構５６により、カッターホルダー５１がロックされる。すなわち、カッターホルダー５１を介して、カットボタン１４が押込み位置Ａ２でロックされる。これにより、テープ押え部材５３および切断刃５２によって、テープ排出口２３を閉塞した状態が維持される。すなわち、印刷テープＴの切断後も、テープ排出口２３を閉塞した状態が維持される。
【００４１】
一方、この状態で開閉蓋２１が開放されると、ロック付勢バネ６３の付勢力によって、ロック部材６１が第１退避位置Ｂ２に移動し、カッターホルダー５１に対するロックが解除される（すなわち、カットボタン１４に対するロックが解除される）。その結果、上記付勢手段の付勢力によって、カッターホルダー５１が後退し、カットボタン１４が戻り位置Ａ１に移動する。これにより、テープ押え部材５３および切断刃５２が、テープ排出口２３を開放した状態に移行する。このように、開閉蓋２１の開放により、テープ排出口２３が開放される。
【００４２】
以上、実施形態の構成によれば、ユーザーがカットボタン１４を押して印刷テープＴの切断を行ったとき、ロック機構５６によって、カットボタン１４が押込み位置Ａ２でロックされる。そのため、カットボタン１４を押して切断を行った後も、カットボタン１４が押込み位置Ａ２に位置したままになり、これに連動する遮蔽部材（切断刃５２およびテープ押え部材５３）も、テープ排出口２３を閉塞した状態のままとなる。このように、印刷テープＴを切断した後も、テープ排出口２３が閉塞された状態が維持されるため、塵埃等がテープ排出口２３から装置内に進入するのを極力抑制することができる。
【００４３】
また、ロックされる押込み位置Ａ２が、カットボタン１４が装置ケース１１から非突出となる位置であることで、印刷テープＴを切断した後、カットボタン１４が装置ケース１１から非突出となる状態が維持される。すなわち、装置ケース１１から突出しなくなった状態が、デフォルトの状態となる。そのため、この状態でテープ印刷装置１を収納することができ、テープ印刷装置１の収納性を高めることができる。
【００４４】
さらに、開閉蓋２１の開放に伴って、カットボタン１４のロックが解除される構成であるため、開閉蓋２１を開放してテープカートリッジＴＣを装着するとき、切断刃５２およびテープ押え部材５３がテープ排出口２３を開放した状態になる。そのため、テープカートリッジＴＣの装着が、切断刃５２やテープ押え部材５３によって妨げられてしまうのを避けることができる。すなわち、テープカートリッジＴＣを装着する際に、テープカートリッジＴＣから引き出された印刷テープＴをテープ排出口２３に通す場合にも、これが切断刃５２やテープ押え部材５３によって妨げられることがない。
【００４５】
またさらに、切断刃５２の下流側（印刷テープＴの送り経路の下流側）に配設されたテープ押え部材５３を「遮蔽部材」として用いる構成であるため、装置外からの塵埃等が、切断刃５２に付着してしまうのを極力抑制することができる。すなわち、サーマル印刷ヘッド３１だけでなく、切断刃５２に、塵埃等が付着してしまうのも抑制することができる。
【００４６】
なお、上記実施形態において、カットボタン１４を、当該テープ印刷装置１の電源をＯＮ／ＯＦＦする電源ボタンとして兼用する構成でも良い。かかる場合、カットボタン１４がロックされるとき、電源がＯＦＦされ、カットボタン１４のロックが解除されるとき、電源がＯＮされる構成とする。かかる構成によれば、テープ印刷装置１の電源をＯＦＦにするときには、カットボタン１４が押込み位置Ａ２でロックされた状態になるため、電源ＯＦＦ時に、テープ排出口２３を閉塞し忘れるという事態を避けることができる。よって、電源ＯＦＦ時に、塵埃等が装置内に進入してしまうのを抑制することができる。一方で、テープ印刷装置１の電源をＯＮにするときには、ロックが解除され、カットボタン１４が戻り位置Ａ１に位置する状態になるため、電源ＯＮ時に、テープ排出口２３を開放し忘れるという事態を避けることができる。よって、遮蔽部材（切断刃５２やテープ押え部材５３）が印刷の妨げになる事態（いわゆるジャム）を避けることができる。
【００４７】
また、上記実施形態において、切断機構２４を作動させるカットボタン１４の押込み位置と、カットボタン１４をロックするカットボタン１４の押込み位置と、を異なる位置（押込み方向の位置）にする構成でも良い。すなわち、ロック機構５６は、切断機構２４を作動させる第１の押込み位置から更に押し込まれた第２の押込み位置にカットボタン１４が押し込まれたときに、カットボタン１４をロックする構成とする。かかる構成によれば、カットボタン１４を押し込む深さ（カットボタン１４の押込み方向の位置）を調整することで、印刷テープＴを切断した後に、カットボタン１４をロックするか、カットボタン１４を元の位置に戻すか、をユーザーが選択することができる。すなわち、印刷テープＴを切断した後に、切断刃５２やテープ押え部材５３によってテープ排出口２３を閉塞した状態を維持するか、テープ排出口２３を開放した状態にするか、をユーザーが容易に選択することができる。特に、上記のカットボタン１４を電源ボタンとして兼用する構成において、このような構成を採用することで、電源をＯＦＦにするときのみ、テープ排出口２３を閉塞した状態にすることができる。
【００４８】
なお、上記実施形態においては、切断刃５２およびテープ押え部材５３を「遮蔽部材」として用いる構成であったが、装置ケース１１に、テープ排出口２３を開閉するカバー部材を取り付け、このカバー部材を「遮蔽部材」として用いる構成でも良い。すなわち、当該カバー部材が、カットボタン１４の押込みに連動してテープ排出口２３を閉塞し、カットボタン１４の戻りに連動してテープ排出口２３を開放するように構成しても良い。
【００４９】
また、上記実施形態においては、切断刃５２およびテープ押え部材５３が、テープカートリッジＴＣを装着する際の妨げにならないように、開閉蓋２１の開放に伴って、カッターホルダー５１やカットボタン１４のロックを解除する構成であったが、これに代えて、切断刃５２の側面（後側：テープカートリッジＴＣの装着方向手前側）に刃を付ける構成でも良い。かかる場合、テープカートリッジＴＣを装着する際、テープカートリッジＴＣから引き出された印刷テープＴを、当該刃で切断することができるので、切断刃５２およびテープ押え部材５３が、テープカートリッジＴＣを装着する際の妨げになることがない。
【００５０】
さらに、上記実施形態においては、テープ押え部材５３を、切断刃５２の下流側（印刷テープＴの送り経路の下流側）に配設する構成であったが、テープ押え部材５３を、切断刃５２の上流側（印刷テープＴの送り経路の上流側）に配設する構成でも良い。
【００５１】
またさらに、上記実施形態においては、開閉蓋２１が開放されたときのみ、カッターホルダー５１やカットボタン１４のロックを解除させる構成であったが、電動の機構によって、印刷開始時等にロックを解除させる構成でも良い。例えば、テープ印刷装置１が、ロック部材６１をピン対峙位置Ｂ１から第２退避位置Ｂ３まで押圧する電動の押圧機構を更に備え、これによって、印刷開始時等に、ロック部材６１をピン対峙位置Ｂ１から第２退避位置Ｂ３まで押圧し、ロックを解除させる構成でも良い。
【００５２】
また、ロック機構５６として、ロックされたカットボタン１４が再度押されたときに、カットボタン１４のロックを解除されるもの採用する構成でも良い。
【符号の説明】
【００５３】
１１…装置ケース、１４…カットボタン、２３…テープ排出口、２４…切断機構、５１…カッターホルダー、５１ａ…係合ピン、５２…切断刃、５３…テープ押え部材、５４…付勢バネ、５５…押え受け部材、５６…ロック機構、６１…ロック部材、６２…支持軸、７１…ピン係合部、７２…突起受け部、Ａ２…押込み位置
【図１】
2017154418.tif 000003
【図２】
2017154418.tif 000004
【図３】
2017154418.tif 000005
【図４】
2017154418.tif 000006
【図５】
2017154418.tif 000007
【図６】
2017154418.tif 000008
【図７】
2017154418.tif 000009
【図８】
2017154418.tif 000010
【図９】
2017154418.tif 000011
【図１０】
2017154418.tif 000012
【図１１】
2017154418.tif 000013